(57)【要約】本発明は、ワイン販売に使用される容器に関するもので、タップ（１）は、固定体（２，３）と、タップを閉じた状態に保つ可変性弾性プラグ（９）からなっている。本発明によれば、ウィンドウそれぞれの後隅の１つには溝（１３）が形成されていて、その中にフランジ（１１）が動く。円盤状キャップの軸回転により、溝（１３）はフランジ（１１）をロックするに使用でき、開封の前と後で軸方向に強く押して閉じた状態にする。これにより、回転と引っ張りの両方が必要なタップの開放を阻止する。加えて、固定及び可動部位には、同軸の貫通穴（１４，１５）が形成されていて、南京錠の装着ができ、許可されていない人が内容物を得られないようにしている。【選択図】図３
2016511725.tif 000002
【特許請求の範囲】
【請求項１】
液体を入れたプラスチックのバッグと前記バッグを収納したボール紙または類似の固定箱で構成された、ある種のガスと周辺環境に敏感な液体の容器に使用される安全タップであって、
−バッグに接合された第１端部、及び第２端部を備えた中空本体、
−本体内で、本体の前記第１端部近くに組み込まれたシーリングシート（４）、
−前記シーリングシート（４）に設けられ、液体がバッグからタップに移動することを可能にするアクセス穴（５）、
−前記アクセス穴（５）によりタップに移動した液体を、タップから出す流出口（６）、
−本体内に形成されたウィンドウ（１２）、
−本体内部で移動可能なブッシング（７）、
−前記ブッシング（７）の第１端部に位置し、前記ウィンドウ（１２）を通して本体から突出して、ユーザーが、前記ブッシング（７）を前記シーリングシート（４）から離して移動させ、液体が前記流出口（６）に通じない安全に閉じた位置から液体が流出口（６）に通じる開いた位置にすることを可能にするように機能するリブ（１１）、
−本体に接続された変形可能な弾性エレメント（９）、
−前記ブッシング（７）の第１端部とは反対側の第２端部に位置し、弾性エレメント（９）に連結されていて、閉じた位置で、前記弾性エレメント（９）を前記シーリングシート（４）に対し押付け効果で流出口（６）を閉じ、また、閉じた位置で、弾性エレメント（９）を前記ブッシング（７）上で回復力を働かせるプラグ（１０）、
からなり、
さらに、
−本体中ウィンドウ（１２）からの延長線にあり、前記リブ（１１）の軸回転によって閉じた位置で前記リブ（１１）を収容し、前記ブッシング（７）の軸方向の動きを阻止して閉じた位置に維持する溝、
を有することを特徴とする液体容器用安全タップ。
【請求項２】
−バッグに連結された第１部位（２）
−内部にブッシング（７）と弾性エレメント（９）を有する第２部位（３）
−前記第１部位（２）と前記第２部位（３）の集合領域、からなり、
前記シーリングシート（４）が、前記集合領域にあって、前記弾性エレメント（９）に対応した球形状で、その球先端域にアクセス穴（５）を有し、前記流出口（６）が、前記集合領域にある形状で、閉じた位置で前記弾性エレメント（９）が前記流出口（６）を塞いで水密性を高めることを特徴とする請求項１に記載の液体容器用安全タップ。
【請求項３】
前記プラグ（１０）が、前記弾性エレメント（９）に装着され、閉じた位置で、前記弾性エレメント（９）が、その上にあるプラグ（１０）の及ぼす圧力により前記アクセス穴（５）内で径方向に拡がることを特徴とする請求項１または２に記載の液体容器用安全タップ。
【請求項４】
前記リブ（１１）が、軸方向と外縁方向に延びて対応したフラップ（１７）となり、前記ブッシング（７）が移動して開いた位置になるとき、前記フラップ（１７）が前記ウィンドウ（１２）を覆うことを特徴とする請求項１乃至３のいずれか１項に記載の液体容器用安全タップ。
【請求項５】
さらに、前記ブッシング（７）にある第１安全穴（１４）と、本体にあって前記第１安全穴（１４）に対応した第２安全穴（１５）を有し、閉じた位置で、南京錠を前記第１安全穴（１４）と前記第２安全穴（１５）を通してブッシング（７）の軸回転を阻止し、前記タップの許可されていない開放をなくすことを特徴とする請求項１乃至３のいずれか１項に記載の液体容器用安全タップ。
【請求項６】
さらに、キャップ（８）を有し、前記キャップ（８）は、１端が本体の第２端部に固定されて前記第２端部を覆うと共に、他端が本体内部を延びて弾性エレメント（９）に接することを特徴とする請求項１に記載の液体容器用安全タップ。
【請求項７】
さらに、キャップ（８）に第３安全穴が設けられ、前記第１安全穴（１４）と前記第２安全穴（１５）と対応して南京錠を通すことを特徴とする請求項５または６に記載の液体容器用安全タップ。
【請求項８】
前記溝（１３）は、安全な閉じた位置にあるとき、前記リブ（１１）が前記シーリングシート（４）に対して楔による圧力を及ぼすことを特徴とする請求項１乃至７のいずれか１項に記載の液体容器用安全タップ。
【発明の詳細な説明】
【技術分野】
【０００１】
本発明は、液体、特に液体食品、とりわけワインに使用される容器用安全タップに関するものであり、容器は、プラスチックバッグであり、安定と保護のためにボール箱に収容されている。
【０００２】
上記したように、本発明のタップは、特に液体食品の容器に使用されることを意図しているが、さらに、例えば医薬液体、工業プロセスでの液体など同じかまたは同様の態様が要求される他の産業分野にも適用可能である。
【０００３】
本発明の目的は、考えられる偶然の開放、および許可されていない開放を抑えるにも適した安全が得られ、さらにそれを形成する材料の浸透性ガスおよび環境に対してより良い隔離または障壁となり、エルゴノミクス、態様及び有用性を改善するタップを提供することにある。
【背景技術】
【０００４】
本発明の好ましい実際的な適用分野で、ワインパッケージングの“箱の中のバッグ”容器は、長い間使用されてきた。これは、その名が示すように、ラミネート加工されたプラスチック材料で製造されたバッグを組合せて形成され、タップを取付けた“ワインスキン”タイプとして、すなわち、バッグを、バッグ、及び特にバッグのタップに対して充分な保護と安定性を与えるボール箱に収容している。
【０００５】
このタイプの容器は、従来からある種々の硬質容器へのワイン瓶詰めに比べて、多くの利点がある。特に、ワインは、消費されるに従い、バッグの有効容積が小さくなる基本的事実があり、ワインはバッグが開かれて中味が最後になる迄、容器とタップは空気及びその他ガスの最大浸透を避けなければならない。
【０００６】
酸化と、他の好ましくない環境中異物の混入による劣化を減らし、ワインボトルが開封され全部が消費されないときに起きる酸化や劣化を避けるため、手っ取り早い解決として、しばしば、それを捨てるよりも全内容物を飲んでしまうことがある。
【０００７】
バッグは、所望する障壁性能に適した材料を使用するより大きな必要条件はない。
一方、タップについては、多くの構造上及び機能上の解決策があり、ワインが容器中に完全な状態で残っている期間を可能な限り伸ばし、さらに、気密性、エルゴノミクス、安全性及びその他の改善形態することが常に試みられている。
【０００８】
種々ある現存のタップの内で、スペイン特許第２，０６０，１１９号のものは、法的期限が終了し、かつ公知になっていることに注目して、いくつかのタップ製造者で採用されてきた。
【０００９】
しかしながら、前述のヨーロッパ特許のタップは、基本的に次の点で問題を持っている。
【００１０】
−タップは，密閉して内容物及び内容量の信頼性を保証するが、容器が最初に開かれた後、つまり、一度その密閉が破られると、タップは、例えば子供のいたずら、偶発による開放、内容物の許可されていない消費など誤った取り扱いを受けてしまう。
【００１１】
−密閉圧は、通常、タップを手で開けるに必要な力と直接関係するので、密閉圧が大きい程、従って酸素の不浸透力を大きくする程、開けるのに大きな力を要することになり不便が伴ってくる。
【００１２】
−タップの操作、つまり、例えば、ワインをグラスのような受器に注ぐときに、タップを扱う手が、ユーザーの視野からグラスを隠してしまうので、グラスに注ぐ液体量を調節するに、体を窮屈な姿勢にすることが要求され、改善することが望まれる。
【００１３】
−タップ本体あるいはタップ全体の酸素浸透性がたとえ良好であっても、ワインを最適状態で容器中に保存できる最長期間で酸素が直接に介入するので、タップを改善するのが望ましい。
【００１４】
−密封を破ることは、密封された圧力の一部を下げることであり、容器中への空気混入の可能性を増し、安全性の低下、不浸透性の減少、強いては、容器回収や消費者であるユーザーでの別目的の使用の可能性を減らすことから、密閉を破ってから先、密封を破ってから消費迄の消費期間に与える容器の箱への幅広い注意をなくすことは非常に重要である。
【発明の概要】
【課題を解決するための手段】
【００１５】
そこで、本発明は、全体構造が、特に背景の説明で述べたヨーロッパ特許のものに似たタップを基本としている。
この特許のタップは、可動プラグが弾性手段でシーリングシートに強く押し付け、弾性的可変性部位の軸方向サポートがタップ本体の内部にあり、２つの径方向フランジが本体の外に突出し、ユーザーの手の２つの指、特に人差し指と薬指でサポートしている。この発明の特徴の１つは、タップの本体内で、閉じた位置にあるときのプラグのフランジに対応して、プラグが本体に対して下に移動したときにフランジが入る溝が形成されていることである。
【００１６】
そこで、本発明のタップは、容器の初めの開放の後に密閉が破られた後で、常時従来の操作では開けられない安全ロック状態にする。タップを開けるには、先ず、独立にかつ意識的に、プラグのサポートを最小の力で回す、すると殆ど同時に自然にタップを開くことができる。それ故に、子供やこの操作を知らない人が間違ってタップを開けることがない。
【００１７】
一方、本体の溝は、シーリングシートに対して過剰な圧力を発生させ、変形により、実質漸進的に閉鎖状況を向上させるように作用し、これにより、開くに必要な力を大きくせずに、安全性、気密性、ガスの不浸透性といった最も重要な特性を改善し、最初の開放前と同じ安全状態にすることができる。
【００１８】
本発明の別の態様によれば、タップの本体は、プラグを受けるシーリングシートから離れて穴を設け、この穴が、円筒部の蓋と軸方向サポートにある別の穴と組み合わせて２つの穴を通して、タップに南京錠を装着できる。南京錠は、許可されていない人、つまり、キーを持たない人あるいは開けるための英数字コードを知らない人が開くことを出来ないようにする。
【００１９】
同様に、本発明の別の態様によれば、本体の弾力的変形可能な部分およびシーリングシートは、閉鎖域で、特に、実質的に半球形状の同じ形態になっていて、その結果、閉じた位置で、２重壁となり、密で完全な接触により酸素浸透障壁結果を高め、本体の上部領域に内容物がない状態にする。
【００２０】
プラグフランジにそれぞれスカートがあることを示したが、このスカートは、フランジが貫通した本体のウィンドウを覆い、かつタップが閉じた位置に戻るとき、ユーザーの指が挟まれないようにしている。
【００２１】
更に、記載した一連の改善点は、製品パッケージを、使用上及び消費上の最大の安全性で、より良く、より長期間保持できる利点を考えれば、ワイン及びその他製品パッケージの品質を保つ容器の可能性を拡げ、その効果とユーザーと消費者の両方の信頼性を高めることができる。
【００２２】
本発明が提案する液体食品容器用の安全タップは、それぞれ及び異なった面で、前述の問題点を完全満足に解決するものである。
消費された数と同数の容器について、その重要な傾向を収集した。これは必要に応じワインの品質の利益になる。
【図面の簡単な説明】
【００２３】
説明を捕捉し、本発明の態様をより良い理解のために、その実際的な実施形態の具体化の好ましい例として図面を添付した。これら図面は、説明のためであり制限するものではない。
【図１】本発明の目的による液体容器用安全タップで、閉じてロックされた位置にある状態での側面図である。
【図２】図１と同様の側面図であるが、ここでは、タップが開くことができる状態で閉じた位置にある。
【図３】図１および２と同様であるが、ここでは、タップが開いた、すなわち、使用可能な位置での側面図である。
【図４】タップが図２と３のいずれかと同じ位置での平面図である。
【図５】図４と同様で、図１に示したタップの位置に対応して、閉じてロックされた位置での平面図である。
【図６】図２の閉じた位置でのタップ軸方向断面図である。
【図７】図６と同じ断面で、図３のタップが開いた位置での軸方向縦断面である。
【図８】タップがフリーに閉じた位置で、シールまたは南京錠なしに、独立した球先端でのシールでロックされた状態での軸方向縦断面である。
【図９】図７のタップの位置で、図８に対して９０℃ずらした面での軸方向縦断面である。
【図１０】図６と同じ状態で、南京錠を備えて許可されていないユーザーが容器内容物を得られなくした安全な状態での平面図である。
【発明を実施するための形態】
【００２４】
図面を参照すると、開示したタップは、本体（１，２，３）からなっている。円筒部（２）は、図面には表わされていないが、キャップまたはネックに対してのタップの連結手段となり、同様に図示してないが、容器バッグに便利に固定されるようにデザインされている。
【００２５】
本体（１、２、３）にある第２部位（３）は、部位（２）と同軸の円筒状で、相対的に小さい直径で、第２部位（３）と反対側に延びている。
【００２６】
部位（４）は、球形状でシーリングシートとして機能し、その球状先端域には、ワインが流出口（６）に向う穴（５）が設けられ、その流出口（６）は、部位（２）と部位（３）の集合領域に傾斜して設けられている。これは、二重シールとなると共に、部位（３）に液体がない状態を作れる利点がある。
【００２７】
これらの部品として、軸方向サポートは、不規則な剛直円筒形のキャップ（７）となっていて、その円筒部で蓋（８）の内面、そして本体（１、２、３）のウィンドウ（１２）に装着される。
【００２８】
開いた位置にあるタップは、ユーザーの手の親指を支えて、外側端部を蓋（８）の内側にして完成する。
【００２９】
円筒キャップ（７）は、軸方向サポート（１０）が、弾性的可変部（９）に迄延びている。弾性的可変部（９）は、その性状により、バッグの内部との流通穴（５）を継続的に閉じ、同時に流出穴（６）も閉じることに寄与する。
【００３０】
この弾性的可変部は、軸方向サポート（１０）と関連していて、軸方向サポート（１０）は、円筒形キャップ（７）の前端部の径方向両側に、本体（１、２、３）に設けられたウィンドウ（１２）と蓋（８）を貫通して一対のフランジ（１１）がある。これにより、軸方向サポート（１０）を、前に述べたように親指と薬指をフランジ（１１）に置き、弾性的可変部（９）を、例えば図９に示した開いた位置に強制的に移動させることができる。
【００３１】
図３に見られるように、ウィンドウ（１２）は、ウィンドウ（１２）の後部と対応してそれぞれの溝（１３）に延びている。軸方向サポート（１０）は、閉じた位置で弾性的可変部（９）に対して部分的に回転可能にしており、回転によりフランジ（１１）が図１にみられるように溝（１３）に入り込むと、固定される。
【００３２】
このとき、軸方向サポート（１０）は、楔効果により、シーリング領域（４）に対して弾性的可変部（９）を強く押し付け、あるいは、同時に球端部の半球状から平板状への変形により径を大きくして、バッグの流出口（５）に対して閉まる圧力を大きくする。これにより、液体内容物と空気及びガスを反対方向に押して、気密性を良くする。
【００３３】
このように、この閉じた状況では、圧力が最大となり、従って、反対方向への回転操作、つまりタップを開けるのは、最初に必要なタップの偶発的な開放を阻止する補足的な物理的力を大きくすることなく、容易になる。
【００３４】
軸方向サポート（１０）の円筒状キャップ（７）は、特に図７に見えるように、径方向の位置に穴（１４）があり、穴（１４）が、タップが閉じた位置にあるとき、本体の第３部位にある別の穴（１５）と、軸方向サポート（１０）にあるフランジの近い位置で一致する。
【００３５】
これらの穴（１４、１５）は、図１０に示すように南京錠（１６）を通すことができ、これら３つの部位を動かないようにして、タップの開放を安全上防ぐ特定の目的を持っている。
【００３６】
最後に、フランジ（１１）には、開いた位置でウィンドウ（１２）に延びるそれぞれのスカート（１７）が備えられ、タップが閉じた位置に自動的に戻るとき使用者の手が挟まないようにしている。
【符号の説明】
【００３７】
１：本体
２：（本体）円筒部
３：（本体）第２部位
４：シーリング領域
５：バッグの流出口
６：流出穴
７：円筒状キャップ
８：蓋
９：弾性的可変部
１０：軸方向サポート
１１：フランジ
１２：ウィンドウ
１３：溝
１４：穴
１５：穴
１６：南京錠
１７：スカート
【図１】
2016511725.tif 000003
【図２】
2016511725.tif 000004
【図３】
2016511725.tif 000005
【図４】
2016511725.tif 000006
【図５】
2016511725.tif 000007
【図６】
2016511725.tif 000008
【図７】
2016511725.tif 000009
【図８】
2016511725.tif 000010
【図９】
2016511725.tif 000011
【図１０】
2016511725.tif 000012
【国際調査報告】
2016511725.tif 000013
2016511725.tif 000014
2016511725.tif 000015
2016511725.tif 000016